【手続補正書】
【提出日】平成16年8月20日(2004.8.20)
【手続補正１】
【補正対象書類名】特許請求の範囲
【補正対象項目名】全文
【補正方法】変更
【補正の内容】
【特許請求の範囲】
【請求項１】
特定の領域を加熱するおよび／または冷却し得る個人用環境調整機器であって、
少なくとも１つのファンを駆動する少なくとも１つの電気モータと、
前記少なくとも１つのファンの低圧側への少なくとも１つの吸気路と、
少なくとも１つの熱電気装置と、
前記少なくとも１つの熱電気装置と熱伝達する少なくとも１つのメイン側熱交換器であり、吸気が該熱交換器を通過し温度を変化させる前記少なくとも１つのメイン側熱交換器と、
少なくとも１つの、特定の領域の温度調節を提供するように前記熱交換器を通過する空気の吹き出し口と、
を備える個人用環境調整機器。
【請求項２】
少なくとも１つの空気路を提供する形状である少なくとも１つの断熱部材を含む請求項１に記載の個人用環境調整機器。
【請求項３】
前記少なくとも１つの断熱部材は、前記少なくとも１つの吸気路を形成する形状である請求項２に記載の個人用環境調整機器。
【請求項４】
空気に対して取り外し可能に配置された少なくとも１つの空気フィルタをさらに備える請求項１に記載の個人用環境調整機器。
【請求項５】
前記少なくとも１つの吹き出し口用の少なくとも１つの流れ案内装置をさらに備える請求項１に記載の個人用環境調整機器。
【請求項６】
少なくとも１つのＡＣ／ＤＣ電源をさらに備える請求項１に記載の個人用環境調整機器。
【請求項７】
ユーザが操作可能な制御装置をさらに備える請求項１に記載の個人用環境調整機器。
【請求項８】
前記ユーザが操作可能な制御装置では、空気流量が調整される請求項７に記載の個人用環境調整機器。
【請求項９】
前記ユーザが操作可能な制御装置では、加熱または冷却の選択が行われる請求項７に記載の個人用環境調整機器。
【請求項１０】
前記ユーザが操作可能な制御装置では、加熱または冷却量が選択される請求項７に記載の個人用環境調整機器。
【請求項１１】
前記機器は、面に載るように構成される請求項１に記載の個人用環境調整機器。
【請求項１２】
前記機器は、面から吊り下がるように構成される請求項１に記載の個人用環境調整機器。
【請求項１３】
前記機器は、面に取り付けられるように構成される請求項１２に記載の個人用環境調整機器。
【請求項１４】
さらにライトを備える請求項１に記載の個人用環境調整機器。
【請求項１５】
さらに音声ジェネレータを備える請求項１に記載の個人用環境調整機器。
【請求項１６】
生成された音声は、白色雑音である請求項１５に記載の個人用環境調整機器。
【請求項１７】
熱電気式飲料クーラーおよびヒーターをさらに備える請求項１に記載の個人用環境調整機器。
【請求項１８】
ユーザが操作可能な制御装置では、冷却、加熱または停止が選択される請求項７に記載の個人用環境調整機器。
【請求項１９】
机上用具および供給品ホルダーをさらに備える請求項１に記載の個人用環境調整機器。
【請求項２０】
前記機器は、コンピュータ画面に装着されるように構成される請求項１に記載の個人用環境調整機器。
【請求項２１】
コンピュータモニタの正面に配置されたノングレア画面をさらに備える請求項２０に記載の個人用環境調整機器。
【請求項２２】
熱電気式冷蔵庫をさらに備える請求項１に記載の個人用環境調整機器。
【請求項２３】
少なくとも１つのフィルタをさらに備える請求項１に記載の個人用環境調整機器。
【請求項２４】
前記フィルタは、静電フィルタを含む請求項２３に記載の個人用環境調整機器。
【請求項２５】
前記フィルタは、活性炭を含む請求項２３に記載の個人用環境調整機器。
【請求項２６】
前記少なくとも１つの熱電気装置の少なくともいくつかは、流れの方向に断熱材を用いる請求項１に記載の個人用環境調整機器。
【請求項２７】
少なくとも１つのフィルタをさらに備える請求項２６に記載の個人用環境調整機器。
【請求項２８】
前記吹き出し口用の少なくとも１つの流れ案内装置をさらに備える請求項２６に記載の個人用環境調整機器。
【請求項２９】
少なくとも１つのＡＣ／ＤＣ電源をさらに備える請求項２６に記載の個人用環境調整機器。
【請求項３０】
ユーザが操作可能な制御装置をさらに備える請求項２６に記載の個人用環境調整機器。
【請求項３１】
前記ユーザが操作可能な制御装置では、空気流量が調整される請求項３０に記載の個人用環境調整機器。
【請求項３２】
前記ユーザが操作可能な制御装置では、加熱、冷却または停止が選択される請求項３０に記載の個人用環境調整機器。
【請求項３３】
前記ユーザが操作可能な制御装置では、加熱または冷却量が調整される請求項３０に記載の個人用環境調整機器。
【請求項３４】
前記機器は、面に載るように構成される請求項２６に記載の個人用環境調整機器。
【請求項３５】
前記機器は、面から吊り下がるように構成される請求項２６に記載の個人用環境調整機器。
【請求項３６】
前記機器は、面に取り付けられるように構成される請求項３５に記載の個人用環境調整機器。
【請求項３７】
ライトをさらに備える請求項２６に記載の個人用環境調整機器。
【請求項３８】
音声ジェネレータをさらに備える請求項２６に記載の個人用環境調整機器。
【請求項３９】
音声は、白色雑音である請求項３８に記載の個人用環境調整機器。
【請求項４０】
信号が、外部の電源により前記音声ジェネレータへ供給される請求項３８に記載の個人用環境調整機器。
【請求項４１】
熱電気式飲料クーラーおよびヒーターをさらに備える請求項２６に記載の個人用環境調整機器。
【請求項４２】
ホルダーをさらに備える請求項２６に記載の個人用環境調整機器。
【請求項４３】
前記機器は、コンピュータモニタに装着されるように構成される請求項２６に記載の個人用環境調整機器。
【請求項４４】
ノングレア画面をさらに備える請求項４３に記載の個人用環境調整機器。
【請求項４５】
熱電気式冷蔵庫をさらに備える請求項２６に記載の個人用環境調整機器。
【手続補正２】
【補正対象書類名】明細書
【補正対象項目名】００２７
【補正方法】変更
【補正の内容】
【００２７】
熱電気式個人用環境調整機器に他の特徴を追加可能である。仕事場の家具から吊り下げるか、またはそれに取り付ける機器の例において、一実施形態では、ライトが、追加されて機器の下の作業面を照らすことができる。ライトは、熱の生成を最小限にするとともに拡散光を提供する蛍光灯であることが好ましい。図４に、飲料ヒーターおよびクーラーを追加したものを示す。ハウジング４０１は、一例として、プラットフォーム４０２を含むように変更されて、このプラットフォーム４０２内には、実質的に円形の凹所４０３があり、その大きさは、一般にコップ、マグカップ、または缶が嵌る大きさである。凹所４０３内には、熱電気モジュール４０４がある。ハウジング４０１内において、熱電気モジュール４０４の下側に取り付けられているのは、熱交換器（図示せず）であって、熱交換器は、（適宜変更された）排気路が熱交換器を含むように配置される。ユーザが加熱するまたは冷却することを選択し、選択した、加熱するまたは冷却する量を操作可能な制御装置４０５が、ハウジング４０１に配置またはそれから突出している。機器の飲料ヒーター／クーラー部分には、環境制御部分に電力を供給するのと同じ電源により電力を供給可能であるか、あるいは独立させることができる。